【事件の表示】
　特願２０１１−１７５３０５「遊技機」拒絶査定不服審判事件〔平成２５年　２月２１日出願公開、特開２０１３−　３４７８６〕について、次のとおり審決する。
【結　論】
　本件審判の請求は、成り立たない。
【理　由】
第１　手続の経緯・本件発明
　本願は、平成２３年８月１０日の出願であって、平成２４年１０月４日付けで拒絶の理由が通知され、同年１１月３０日に意見書及び手続補正書が提出されたところ、平成２５年３月１９日付けで拒絶査定がなされ、それに対して、同年６月２６日に拒絶査定不服審判の請求がなされると同時に明細書及び特許請求の範囲に係る手続補正がなされたものである。
　
第２　平成２５年６月２６日付けの手続補正についての補正却下の決定  
 ［補正却下の決定の結論］  
 　平成２５年６月２６日付けの手続補正（以下「本件補正」という。）を却下する。　  
  
 ［理由］  
１ 補正の内容
　本件補正は、特許請求の範囲を補正する内容を含んでおり、本件補正により、特許請求の範囲の請求項１は、
「　遊技の進行制御に応じて当該遊技に伴う演出制御が行われる遊技機であって、
　時間情報を提供する提供手段と、
　演出制御により実行される演出の内容を変更不可能に格納する第１の格納部と、
　所定の情報が格納され、当該格納される所定の情報をバックアップ電源から電力が供給されることにより保持し、かつ、当該所定の情報を変更可能に保持する第２の格納部と、
　前記提供手段により提供される時間情報を基に前記第１の格納部に格納される演出の内容を実行することが許可されるか否かの判断を、前記第２の格納部により前記所定の情報として変更可能に保持される所定の時間的条件を用いると共に前記第１の格納部に保持されている情報を用いることなく行う判断手段と、
　を備えることを特徴とする遊技機。」
から
「　遊技の進行制御に応じて当該遊技に伴う演出制御が行われる遊技機であって、
　時間情報を提供する提供手段と、
　演出制御により実行される演出の内容を変更不可能に格納する第１の格納部と、
　所定の情報が格納され、当該格納される所定の情報をバックアップ電源から電力が供給されることにより保持し、かつ、当該所定の情報を変更可能に保持する第２の格納部と、
　前記提供手段により提供される時間情報を基に前記第１の格納部に格納される演出の内容を実行することが許可されるか否かの判断
を
、
た当該判断を行わない
　を備えることを特徴とする遊技機。」
に補正された（下線は、補正箇所を明示するために審決にて付した。）。
　
２　目的要件違反について
　本件補正について検討すると、請求項１に特定されている「判断手段」に関して、「前記提供手段により提供される時間情報を基に前記第１の格納部に格納される演出の内容を実行することが許可されるか否かの判断を、前記第２の格納部により前記所定の情報として変更可能に保持される所定の時間的条件を用いると共に前記第１の格納部に保持されている情報を用いることなく行う」を「前記提供手段により提供される時間情報を基に前記第１の格納部に格納される演出の内容を実行することが許可されるか否かの判断を前記第２の格納部により前記所定の情報として変更可能に保持される所定の時間的条件を用いると共に、前記第１の格納部に保持されている情報を用いた当該判断を行わない」と補正するものである。
　そうすると、「前記第１の格納部に保持されている情報を用いることなく行う」構成と、「前記第１の格納部に保持されている情報を用いた当該判断を行わない」構成とに差異はなく、句読点の位置及び表現が変わっただけであるから、本件補正は発明を特定するために必要な事項を限定するものとはいえない。
　したがって、本件補正は「特許請求の範囲の減縮」には該当しない。
　また、補正前の請求項１の記載に不明瞭な点はなく、拒絶理由通知においても、そのような指摘はないから、本件補正は「明瞭でない記載の釈明」を目的とするものではない。
　さらに、本件補正は「誤記の訂正」にも該当しない。
　以上のとおり、本件補正は、特許法第１７条の２第５項各号に掲げる事項を目的とする補正のいずれにも該当しないから、特許法第１５９条第１項において読み替えて準用する特許法第５３条第１項の規定により却下されるべきものである。
　
３ 独立特許要件について（予備的判断）
　以上述べたとおり、本件補正は特許法第１７条の２第５項に違反しているものであるが、請求人は、平成２５年６月２６日付け審判請求書において、本件補正は補正前の発明特定事項である「判断手段」の限定である旨主張しており、補正前の請求項１に記載された発明と補正後の請求項１に記載された発明の産業上の利用分野及び解決しようとする課題が同一であるので、一応、上記補正が特許法第１７条の２第５項第２号の「特許請求の範囲の減縮」を目的とするものに該当するものとして、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討しておく。
　
（１）刊行物１に記載された発明
　本願の出願日前に頒布され、原査定の拒絶の理由に引用文献１として引用された刊行物である、特開２００８−２５３４５７号公報（以下「刊行物１」という。）には、図面とともに以下の事項が記載されている（下線は審決で付した。以下同じ。）。  
　
（１−ａ）
「【０００８】
　（１）　
遊技の演出を行なう演出装置
を備え、遊技において特定の条件が成立したとき
に、遊技者にとって有利な特定遊技状態
に制御される遊技機
であって、
　
日時を特定可能とする計時を行なう計時手段
と、
　
該計時手段の計時値により特定される日時に対応して前記演出装置により実行させる所定の演出
の内容を特定可能な演出情報
を記憶する演出内容記憶手段（ＲＯＭ８４）と、
　
前記計時手段の計時値により特定される日時に対応して、前記演出内容記憶手段に記憶された前記演出情報に基づいて前記演出装置により前記所定の演出を実行させる計時対応演出実行手段
と、
　所定の操作を行なうことが可能な操作手段（操作ボタン１２０、クリアスイッチ９１２、演出スイッチ３５４）と、　
　前記計時対応演出実行手段により実行させる前記所定の演出の実行条件を設定（データを書換えること、および、データを初期化することを含み、実行条件を調整すること）するために予め定められた演出設定手順（図２７のゴールデンタイム設定手順、オールマイティー図柄設定手順等、図３０のＳ９２５〜Ｓ９２８、図３１のＳ５０１〜Ｓ５１４）に基づき、前記操作手段により前記所定の演出の実行条件を設定するための操作（図２１、図２７の電源投入時の操作、選択設定操作および設定・終了操作）が行なわれたことに応じて、前記計時対応演出実行手段により実行させる前記所定の演出の実行条件を設定する演出設定手段（図３０のＳ９２５〜Ｓ９２８、図３１のＳ５０１〜Ｓ５１４）と、　
　
揮発性の記憶手段であって、前記演出設定手段により設定された前記所定の演出の実行条件を特定可能な第１の実行条件情報
を記憶する
第１の実行条件記憶手段（バックアップＲＡＭ３５６）と、
　
不揮発性の記憶手段であって、予め設定された前記所定の演出の実行条件を特定可能な第２の実行条件情報
を記憶する
第２の実行条件記憶手段（ＲＯＭ３５９）と、
　
前記遊技機への電力供給が停止している場合でも、所定時間は前記計時手段および前記第１の実行条件記憶手段のそれぞれに動作用の電力を供給する電力供給手段
とを含み、
　
前記計時対応演出実行手段は、前記第１の実行条件記憶手段に記憶された前記第１の実行条件情報および前記第２の実行条件記憶手段に記憶された前記第２の実行条件情報のそれぞれに基づいて、前記計時手段の計時値により特定される日時に対応して、前記所定の演出を実行させる
　
（１−ｂ）
「【０００９】
第１の実行条件記憶手段に記憶されている第１の実行条件情報が消滅しても、予め定められた第２の実行条件情報が不揮発性の記憶手段に記憶されているので
所定の演出を必ず実行させることができる
　
（１−ｃ）
「【００８５】リアルタイムクロック３５３の計時値は、バックアップＲＡＭ３５６に記憶される。バックアップＲＡＭ３５６は、たとえば、揮発性の記憶手段であるＳＲＡＭ（Static Random Access Memory）を用いて構成された記憶手段であり、パチンコ遊技機１の稼動開始日時およびリアルタイムクロック３５３の計時値等各種の情報が記憶される。
バックアップＲＡＭ３５６は
バックアップ電源回路３５５から供給されるバックアップ電力に基づいて、記憶データが保持される
バックアップＲＡＭ３５６は
リアルタイムクロック３５３と接続されている
　
（１−ｄ）
「【００９７】図７（ｂ）に示すように、バックアップＲＡＭ３５６においては、前述した計時値データ記憶領域、および、稼動開始日時格納領域の他に、ゴールデンタイム設定領域、および、オールマイティー図柄設定領域等の各種データを格納（記憶）した記憶領域が設けられている。
ゴールデンタイム設定領域は、後述する特別のデモンストレーション表示の演出およびミッション演出に関し、入力により設定された演出を実行する設定時刻等の入力により設定された演出の実行条件としての設定実行条件情報を記憶する領域である
その設定実行条件情報には
演出の種類（特別のデモンストレーション表示の演出を示す情報）を示す情報、および、特別のデモンストレーション表示の演出を実行する時刻に関する情報を含む
オールマイティー図柄設定領域は、後述するオールマイティー図柄を用いた特別の飾り図柄の変動表示の設定実行条件情報を記憶する領域である
その設定実行条件情報には
演出の種類（オールマイティー図柄を用いた特別の飾り図柄の変動表示の演出）を示す情報、および、演出を実行する日時に関する情報を含む
　
（１−ｅ）
「【０２５１】・・・このような特別デモ表示固定時刻は、ＲＯＭ３５９に記憶されているため、バックアップＲＡＭ３５６に記憶されている特別のデモンストレーション表示を実行する時刻を示すデータが消滅しても、ＲＯＭ３５９に記憶されている特別デモ表示固定時刻のデータを読出して用いることにより、予め定められた時刻においては、特別のデモンストレーション表示を実行することができる。」
　
（１−ｆ）
「【０２５９】・・・このようなオールマイティー図柄固定日は、ＲＯＭ３５９に記憶されているため、バックアップＲＡＭ３５６に記憶されているオールマイティー図柄の表示を実行する時刻を示すデータが消滅してしまっても、ＲＯＭ３５９に記憶されているオールマイティー図柄固定日のデータを読出して用いることにより、予め定められた日については、予め定められた時刻において、オールマイティー図柄の表示を実行することができる。」
　
（１−ｇ）
「【０３７８】　受信した変動パターンコマンドがはずれ指定でなければ、演出制御用マイクロコンピュータ１００は、バックアップＲＡＭ３５６の記憶領域（計時値データ記憶領域）からリアルタイムクロック３５３の計時値のデータのうち、現日時情報（日、曜、時、分、秒）を読出して入力する（Ｓ１８０７）。そして、受信した変動パターンコマンドが通常大当り指定であるか否かを確認する（Ｓ１８０８）。通常大当り指定であれば、演出制御用マイクロコンピュータ１００は、通常大当りが指定されたことを示す通常大当り演出フラグをセットする（Ｓ１８０９）。そして、前述のようなリアルタイムクロック３５３の情報が消滅したことを示すクロック情報消滅フラグがセットされているかどうかを確認する（Ｓ１８０９ａ）。クロック情報消滅フラグがセットされているときは、リアルタイムクロック３５３の計時値に基づく演出の実行を禁止するために、後述するＳ１８１３に進む。一方、クロック情報消滅フラグがセットされていないときは、Ｓ１８０７で入力した現日時情報に基づいて、現日時が所定の図柄変更期間であるか否かを確認する（Ｓ１８１０）。
　図柄変更期間は、前述したように、オールマイティー図柄設定画面を用いて設定され得る実行日の情報（バックアップＲＡＭ３５６の記憶情報）、および、ＲＯＭ３５８に記憶されているオールマイティー図柄固定日のデータによる実行日の情報と、ＲＯＭ３５８に記憶されている実行時間（後述するような１２：００から１３：００という時間帯）の情報とに基づいて定められる期間である。したがって、Ｓ１８１０では、図柄変更期間を特定するこれらの情報をバックアップＲＡＭ３５６およびＲＯＭ３５８から読出して現日時が所定の図柄変更期間であるか否かを確認する。
　【０３７９】なお、
図柄変更期間を示す情報のうち、オールマイティー図柄固定日のデータによる実行日の情報と、実行時間の情報とは、ＲＯＭ８４に記憶してもよく、オールマイティー図柄設定画面を用いて任意に設定できるようにしてバックアップＲＡＭ３５６に記憶してもよい
　
　上記の事項を総合すると、刊行物１には、下記の発明（以下「刊行物１発明」という。）が記載されている。
　
「遊技の演出を行なう演出装置を備え、遊技において特定の条件が成立したときに、遊技者にとって有利な特定遊技状態に制御される遊技機であって、
　日時を特定可能とする計時を行なう計時手段と、
　前記計時手段の計時値により特定される日時に対応して、前記演出内容記憶手段に記憶された前記演出情報に基づいて前記演出装置により前記所定の演出を実行させる計時対応演出実行手段と、
　該計時手段の計時値により特定される日時に対応して前記演出装置により実行させる所定の演出の内容を特定可能な演出情報を記憶する演出内容記憶手段（ＲＯＭ８４）と、
　揮発性の記憶手段であって、前記演出設定手段により設定された前記所定の演出の実行条件を特定可能な第１の実行条件情を記憶する第１の実行条件記憶手段（バックアップＲＡＭ３５６）と
　不揮発性の記憶手段であって、予め設定された前記所定の演出の実行条件を特定可能な第２の実行条件情報を記憶する第２の実行条件記憶手段（ＲＯＭ３５９）と、
　前記遊技機への電力供給が停止している場合でも、所定時間は前記計時手段および前記第１の実行条件記憶手段のそれぞれに動作用の電力を供給する電力供給手段とを含み、
　前記計時対応演出実行手段は、前記第１の実行条件記憶手段に記憶された前記第１の実行条件情報および前記第２の実行条件記憶手段に記憶された前記第２の実行条件情報のそれぞれに基づいて、前記計時手段の計時値により特定される日時に対応して、前記所定の演出を実行させる
　遊技機。」
　
（３）対比
　本願補正発明と刊行物１発明とを対比する。
　
ア　刊行物１発明の「遊技の演出を行なう演出装置を備え、遊技において特定の条件が成立したときに、遊技者にとって有利な特定遊技状態に制御される遊技機」は、本願補正発明の「遊技の進行制御に応じて当該遊技に伴う演出制御が行われる遊技機」に相当する。
　
イ　刊行物１発明の「日時を特定可能とする計時を行なう計時手段」が「時間情報を提供する」ことは自明の構成であるから、該「日時を特定可能とする計時を行なう計時手段」は、本願補正発明における「時間情報を提供する提供手段」に相当する。
　
ウ　刊行物１発明の「前記演出装置により実行させる所定の演出の内容を特定可能な演出情報」は、本願補正発明の「演出制御により実行される演出の内容」に相当し、刊行物１発明の「該計時手段の計時値により特定される日時に対応して前記演出装置により実行させる所定の演出の内容を特定可能な演出情報を記憶する演出内容記憶手段（ＲＯＭ８４）」は、本願補正発明の「演出制御により実行される演出の内容を変更不可能に格納する第１の格納部」に相当する。
　
エ　刊行物１発明の「（前記遊技機への電力供給が停止している場合でも、所定時間は前記計時手段および前記第１の実行条件記憶手段のそれぞれに動作用の電力を供給する）電力供給手段」は、本願補正発明の「バックアップ電源」に相当し、刊行物１発明における「揮発性の記憶手段であって、前記演出設定手段により設定された前記所定の演出の実行条件を特定可能な第１の実行条件情を記憶する第１の実行条件記憶手段（バックアップＲＡＭ３５６）」は、本願補正発明の「所定の情報が格納され、当該格納される所定の情報をバックアップ電源から電力が供給されることにより保持し、かつ、当該所定の情報を変更可能に保持する第２の格納部」に相当する。
　
オ　上記アないしエを踏まえれば、
　刊行物１発明の
「前記計時手段の計時値により特定される日時」、
「前記演出内容記憶手段に記憶された前記演出情報に基づいて前記演出装置により実行させる前記所定の演出」、
「前記第１の実行条件記憶手段に記憶された前記第１の実行条件情報」、
「前記第２の実行条件記憶手段に記憶された前記第２の実行条件情報」
は、それぞれ、本願補正発明の
「前記提供手段により提供される時間情報」、
「前記第１の格納部に格納される演出の内容」、
「第２の格納部に前記所定の情報として変更可能に保持される所定の時間的条件」、
「（所定の）時間的条件」
に相当する。
　そして、刊行物１発明の「前記計時手段の計時値により特定される日時（前記提供手段により提供される時間情報）に対応して、前記所定の演出を実行させる」「計時対応演出実行手段」が、「所定の演出（演出の内容）を実行することが許可されるか否かの判断」を行う「判断手段」に相当することは明らかである。
　また、刊行物１発明の「前記第１の実行条件記憶手段（第２の格納部）に記憶された前記第１の実行条件情報および前記第２の実行条件記憶手段に記憶された前記第２の実行条件情報のそれぞれに基づいて、前記計時手段の計時値により特定される日時に対応して、前記所定の演出を実行させる」の「第１の実行条件情報」及び「第２の実行条件情報」は、「第１の実行条件記憶手段（第２の格納部）」及び「第２の実行条件記憶手段」に記憶されるものであって、「演出内容記憶手段（第１の格納部）」に記憶されるものではないから、刊行物１発明は「前記第１の格納部に保持されている情報を基に（前記第１の格納部に格納される演出の内容を実行することが許可されるか否かの）判断を行わない（判断手段）」との構成を備えている。
　したがって、刊行物１発明において「（前記計時手段の計時値により特定される日時に対応して）前記演出内容記憶手段（前記第１の格納部）に記憶された前記演出情報（演出制御により実行される演出の内容）に基づいて前記演出装置により前記所定の演出を実行させる計時対応演出実行手段」が「前記第１の実行条件記憶手段に記憶された前記第１の実行条件情報および前記第２の実行条件記憶手段に記憶された前記第２の実行条件情報のそれぞれに基づいて、前記計時手段の計時値により特定される日時（前記提供手段により提供される時間情報）に対応して、前記所定の演出を実行させる」構成と、
　本願補正発明の「前記提供手段により提供される時間情報を基に前記第１の格納部に格納される演出の内容を実行することが許可されるか否かの判断を前記第２の格納部により前記所定の情報として変更可能に保持される所定の時間的条件を用いると共に、前記第１の格納部に保持されている情報を用いた当該判断を行わない判断手段」とは、
　「前記提供手段により提供される時間情報を基に前記第１の格納部に格納される演出の内容を実行することが許可されるか否かの判断を前記第２の格納部により前記所定の情報として変更可能に保持される所定の時間的条件を用いると共に、前記第１の格納部に保持されている情報を用いた当該判断を行わない判断手段」で一致する。
　
カ　上記アないしオから、
　本願補正発明と刊行物１発明とは、
「遊技の進行制御に応じて当該遊技に伴う演出制御が行われる遊技機であって、
　時間情報を提供する提供手段と、
　演出制御により実行される演出の内容を変更不可能に格納する第１の格納部と、
　所定の情報が格納され、当該格納される所定の情報をバックアップ電源から電力が供給されることにより保持し、かつ、当該所定の情報を変更可能に保持する第２の格納部と、
　前記提供手段により提供される時間情報を基に前記第１の格納部に格納される演出の内容を実行することが許可されるか否かの判断を前記第２の格納部により前記所定の情報として変更可能に保持される所定の時間的条件を用いると共に、前記第１の格納部に保持されている情報を用いた当該判断を行わない判断手段と、
　を備える遊技機。」
の点で一致し、以下の点で相違する。
　
［相違点］：「前記第２の格納部により前記所定の情報として変更可能に保持される所定の時間的条件」に関して、
　本願補正発明は、「第２の時間的条件（第２の実行条件情報）」が特定されていないのに対し、
　刊行物１発明は、「不揮発性の記憶手段であって、予め設定された前記所定の演出の実行条件を特定可能な第２の実行条件情報を記憶する第２の実行条件記憶手段」を備え、「前記第２の格納部により前記所定の情報として変更可能に保持される所定の時間的条件」及び「第２の時間的条件（第２の実行条件情報）」のそれぞれに基づいて判断を行う点。
　
（４）判断
　上記相違点について検討する。
　
ア　刊行物１には、「
第１の実行条件記憶手段に記憶されている第１の実行条件情報が消滅しても
第２の実行条件情報に基づいて、計時手段の計時値により特定される日時に対応した所定の演出を必ず実行させることができる
　
イ　してみると、刊行物１発明において、「所定の時間的条件」として、「前記第２の格納部により前記所定の情報として変更可能に保持される所定の時間的条件（前記第１の実行条件記憶手段に記憶された前記第１の実行条件情報）」に加えて、「第２の実行条件情報」を有する点は、付加的な構成というべきである。
　
ウ　加えて、本願補正発明においても、「前記第２の格納部により前記所定の情報として変更可能に保持される所定の時間的条件を用いると共に、前記第１の格納部に保持されている情報を用いた当該判断を行わない」と特定されるのみであって、「前記第２の格納部により前記所定の情報として変更可能に保持される所定の時間的条件」以外に「第２の時間的条件（第２の実行条件情報）」を有する構成は除外されていない。
　
エ　仮に、本願補正発明が、「前記第２の格納部により前記所定の情報として変更可能に保持される所定の時間的条件」以外の「所定の時間的条件」を除外したものであったとしても、刊行物１には、「また、この種の遊技機においては、
特定の時刻に所定の演出を実行させる等、計時手段の計時値に基づいて行なう演出の実行条件（たとえば、実行時刻）を、電源バックアップされたＲＡＭ等の不揮発性の記憶手段に記憶し、その実行条件に基づいて、計時手段の計時値に基づいて実行条件が成立したときに、所定の演出を実行させる制御を行なう
不揮発性の記憶手段に記憶した演出の実行条件が消滅したときには、所定の演出が実行できなくなる
　
オ　したがって、上記相違点は、実質的な相違点ではない。
　
（５）請求人の主張について
ア　請求人は、審判請求書において「引用文献１における段落０３７９の記載は、課題解決との関係について特段の断り書きがない以上、バックアップＲＡＭ３５６に記憶する構成を採用する前提として、図柄変更期間を設定するために
ＲＯＭ３５９ないしＲＯＭ８４にもオールマイティー図柄固定日のデータによる実行日の情報および実行時間の情報が記憶されていると解するのが当業者にとって自然である
バックアップＲＡＭ３５６に記憶されるデータを変更することによって、『オールマイティー図柄を含まない図柄による変動表示からオールマイティー図柄を含む図柄による変動表示に変更するオールマイティー図柄の表示（段落０２５７参照）』を行う実行日時を任意に設定することができる一方で、ＲＯＭ３５９ないしＲＯＭ８４には、変更できない実行日時を記憶しておくという構成例を説明していると解するのが合理的である
　
イ　しかしながら、刊行物１の段落【０３７９】には「・・・オールマイティー図柄固定日のデータによる実行日の情報と、実行時間の情報とは、ＲＯＭ８４に記憶してもよく、・・・バックアップＲＡＭ３５６に記憶してもよい」とあるとおり、「ＲＯＭ８４」と「バックアップＲＡＭ３５６」の両方に「実行日の情報」等を記憶させなければならないとは記載されていない。
　
ウ　そもそも、刊行物１発明の技術的思想は、「第１の実行条件記憶手段（バックアップＲＡＭ３５６）」と「第２の実行条件記憶手段（ＲＯＭ３５９）」に、それぞれ「第１の実行条件情報（特別のデモンストレーション表示を実行する時刻として選択された時刻の情報等の設定実行条件情報）」、「第２の実行条件情報（必ず特別のデモンストレーション表示を実行する時刻として設定された時刻の情報、必ずオールマイティー図柄を用いた飾り図柄の変動表示を実行する日として設定された日の情報等の固定実行条件情報）」を記憶させるものであるから、「第１の実行条件記憶手段（バックアップＲＡＭ３５６）」と「第２の実行条件記憶手段（ＲＯＭ３５９）」に加えて、「演出内容記憶手段（ＲＯＭ８４）」に「所定の時間的条件」を記憶させることを前提とするものでない。
　したがって、刊行物１発明の「演出内容記憶手段（ＲＯＭ８４）」は「実行条件記憶手段」には該当しない。
　
エ　以上のとおりであるから、請求人の主張は採用することができない。
　
（６）まとめ
　以上のとおり、本願補正発明は、刊行物１発明と同一であるから、特許法第２９条第１項第３号に該当し、特許出願の際独立して特許を受けることができない。
　
３ 補正却下の決定についてのむすび
　したがって、本件補正は、特許法第１７条の２第５項の規定に違反するものであり、また、特許法第１７条の２第６項において準用する同法第１２６条第７項の規定に違反するものであるから、同法第１５９条第１項において読み替えて準用する同法第５３条第１項の規定により却下すべきものである。
　
第３　本願発明について  
 １　本願発明  
 　本件補正は上記のとおり却下されたので、本願の各請求項に係る発明は、平成２４年１１月３０日付け手続補正書により補正された特許請求の範囲に記載されたとおりのものであり、特に、請求項１に係る発明（以下「本願発明」という。）は次のとおりである。
　「　遊技の進行制御に応じて当該遊技に伴う演出制御が行われる遊技機であって、
　時間情報を提供する提供手段と、
　演出制御により実行される演出の内容を変更不可能に格納する第１の格納部と、
　所定の情報が格納され、当該格納される所定の情報をバックアップ電源から電力が供給されることにより保持し、かつ、当該所定の情報を変更可能に保持する第２の格納部と、
　前記提供手段により提供される時間情報を基に前記第１の格納部に格納される演出の内容を実行することが許可されるか否かの判断を、前記第２の格納部により前記所定の情報として変更可能に保持される所定の時間的条件を用いると共に前記第１の格納部に保持されている情報を用いることなく行う判断手段と、
　を備えることを特徴とする遊技機。」
  
 ２　刊行物  
 　刊行物１及びその記載事項並びに刊行物１に記載された発明（刊行物１発明）は、上記「第２　３」に記載したとおりである。  
  
 ３　対比・判断  
 　本願発明は、上記「第２」で検討した本願補正発明とは、句読点の位置と表現が異なるだけで、構成上の差異がないものである。  
 　仮に、本願補正発明が、本願発明を特定するために必要な事項を限定したものであったとしても、本願発明の特定事項を全て含み、さらに他の特定事項を付加したものに相当する本願補正発明が、上記「第２　３」に記載したとおり、刊行物１に記載された発明と同一である以上、本願発明も、同様に刊行物１に記載された発明と同一である。 
  
 ４　むすび  
　以上のとおり、本願発明は、刊行物１に記載された発明であるから，特許法第２９条第１項第３号に該当し、特許を受けることができない。
　したがって、その余の請求項について検討するまでもなく、本願は、拒絶されるべきものである。  
　よって、結論のとおり審決する。